(57)【要約】【課題】  消耗電子部品の寿命を、表示体により、透光パネルの照明の故障と間違えることなく、明確に寿命と認定できる誘導灯を提供することを目的とする。【解決手段】  底面２Ｌを有する誘導灯１において、内蔵する消耗電子部品（光源３１）の寿命を感知する制御手段と、前記制御手段（マイコン３４）が前記消耗電子部品の寿命を感知したとき点灯される表示体１０とを備え、前記表示体１０の一部が、底面をより突出していることを特徴とする。前記表示体１０が点光源１１を内蔵し、前記点光源１１が前記底面２Ｌより下方に位置することを特徴とする。また、前記表示体１０において、前記底面より突出する部分が乱反射することを特徴とする。【選択図】  図２
2005108568.tif 000002
【特許請求の範囲】
【請求項１】
底面を有する誘導灯において、
内蔵する消耗電子部品の寿命を感知する制御手段と、
前記制御手段が前記消耗電子部品の寿命を感知したとき点灯される表示体とを備え、
前記表示体の一部が、底面をより突出していることを特徴とする誘導灯。
【請求項２】
前記表示体が点光源を内蔵し、前記点光源が前記底面より下方に位置することを特徴とする請求項１の誘導灯。
【請求項３】
前記表示体において、前記底面より突出する部分が乱反射することを特徴とする請求項１の誘導灯。
【発明の詳細な説明】
【技術分野】
【０００１】
本発明は、建物内において非常口の場所に誘導する誘導灯に関する。
【背景技術】
【０００２】
従来、誘導灯が内蔵する消耗電子部品、例えば、充電式電池が、寿命に達したとき点灯される表示体が、下記特許文献１に開示されている。この誘導灯は、底面を有する略箱型形状の外形であって、底面において、突出することなく表示体が設けられている。そして、表示体の光は、点灯時、下方に発光されることになる。
【特許文献１】特開２００１−３５１４１７号
【発明の開示】
【発明が解決しようとする課題】
【０００３】
しかしながら、このような誘導灯においては、表示体の点灯は、人が誘導灯の下方まで来て、確認する必要があった。このため、表示体が点灯しているにもかかわらず、人が誘導灯の下方で確認しないために、点灯を認知しないことがあった。
一方では、このような寿命の通知をより明確にするために、誘導灯における誘導表示の透光パネルの照明を点滅する方法があるが、消耗電子部品の寿命を表示しているにもかかわらず、透光パネルの照明が故障しているような印象を与える問題があった。
本発明は、上述のような問題点を解決するために成されたものであり、消耗電子部品の寿命を、表示体により、透光パネルの照明の故障と間違えることなく、明確に寿命と認定できる誘導灯を提供することを目的とする。
【課題を解決するための手段】
【０００４】
本発明は、底面を有する誘導灯において、内蔵する消耗電子部品の寿命を感知する制御手段と、前記制御手段が前記消耗電子部品の寿命を感知したとき点灯される表示体とを備え、前記表示体の一部が、底面をより突出していることを特徴とする。また、前記表示体が点光源を内蔵し、前記点光源が前記底面より下方に位置することを特徴とする。更に、前記表示体において、前記底面より突出する部分が乱反射することを特徴とする。
【発明の効果】
【０００５】
寿命を知らせる表示体が、誘導灯の底面より突出していることより、人が誘導灯の下方まで来なくても、前後左右方向から、その点灯を確認することできるので、消耗電子部品の寿命を確認することができる。また、従来では目立つように、寿命を透光パネルの照明を点滅する方法では、照明の故障と誤っているとの印象を与えることがあったが、本発明においては、誘導灯の底面より突出している表示体が点灯するだけであるので、故障の印象を誤って与えることは少ない。
また、表示体が点光源を内蔵し、点光源が底面より下方に位置すること、又は、底面より突出する部分が乱反射することより、誘導灯の下方以外からも、より明瞭に表示体が認識できる。
【発明を実施するための最良の形態】
【０００６】
本発明の実施例を、図１〜４を用いて、詳細に説明する。
誘導灯１は、略箱状であって、上下面及び両側面からなる金属板製の枠体２を有し、誘導灯１の前面には、ピクトグラムの誘導表示（図示せず）が描かれた透光パネル３が設けられ、誘導灯１の背面は、枠体２と同一材料からなっている。枠体２の内部には、透光パネル３を内側から照明する消耗電子部品としての光源３１（図１には図示せず）が内蔵される。
【０００７】
そして、誘導体１の枠体２の下面２Ｌにおいては、設けられた円形の開口に表示体１０が、その先端部が、底面より突出して、設置されている。
本実施例において、表示体１０として、通常利用できるＬＥＤを利用している。図２に示すように、このようなＬＥＤは、半導体素子からなる点光源１１と、点光源１１に電力を供給するための金属線の電気配線１２、１２と、樹脂材料からなる略円柱体の封止構造１３からなる。そして、本実施例においては、点光源１１からの発光を、下方ばかりでなく、前後左右方向からも確認できるように、点光源１１が下面２Ｌより下方に位置するように設置されている。
【０００８】
また、他の実施例として、図３に示すように、点光源１１は下面２Ｌより上方に位置するものの、封止構造１３の表面を凹凸として光を乱反射させる構造にしている。従って、点光源１１からの発光を、下方ばかりでなく、前後左右方向からも確認できる。これに代わって、封止構造１３の樹脂材料内に光を乱反射させる材料、SiO2粉体、金属粉体等を混入させることで、光を乱反射させる構造とすることもできる。これに代わって、通常の図２のＬＥＤの先端側に、透光性樹脂材料にSiO2粉体、金属粉体等を混入させることで光を乱反射させる構造のキャップを取り付けてもいい。
なお、上記実施例においては、表示体１０として、ＬＥＤを利用したが、これに代わって、フィラメントが発光するランプであっても良い。ランプの場合、フィラメントが点光源として機能する。
【０００９】
次に、本実施例に利用される大まかな電気回路図を、図４を用いて説明する。通常時において、ＡＣ線からの電力は、ＡＣ／ＤＣコンバータ（図示せず）により変換されＤＣ５Ｖ、ＤＣ１２Ｖの出力を得ることになる。
ここで、ＤＣ５Ｖの出力は、直接、消耗電子部品であり負荷回路である光源３１に供給される。光源３１の種類に応じて、ＤＣ／ＡＣコンバータが内蔵されることになる。
また、ＤＣ１２出力を、抵抗Ｒ１及びダイオードＤ１を介して充電式電池３０を充電する。電池３０の充電していることを示すモニターとして、抵抗Ｒ１とダイオードＤ１の中間点より抵抗Ｒ２を介してトランジスタＴｒ１のベースを接続し、ＤＣ１２ＶのラインからトランジスタＴｒ１を接続して、抵抗Ｒ３を介して充電用モニター発光ＬＥＤ３２を点灯（例えば、緑色）させている。
【００１０】
また、ＤＣ１２Ｖのラインより、ダイオードＤ２を介して定電圧回路３３に電力を供給し、定電圧回路３３からの出力を、制御回路としてのマイコン３４に供給している。マイコン３４内においてＡＣ線から電力が供給されたトータル時間を計時するタイマーが内蔵され、光源３１の寿命としての点灯時間である所定時間（光源３１が複数の白色ＬＥＤであれば５万時間、冷陰極管であれば６万時間）と比較する機能を有する。そして、所定時間より、計時時間が小さい間は、マイコン３４からトランジスタＴｒ２のベースに出力せず、従って、トランジスタＴｒ２のコレクター、エミッター間が導通せず、光源３１の寿命を通知する表示体１０である発光ＬＥＤは点灯しない。そして、マイコン３４内での計時が所定時間に達すると、トランジスタＴｒ２のベースに出力し、トランジスタＴｒ２のコレクター、エミッター間が導通し、抵抗Ｒ５を介して、発光ＬＥＤ（＝表示体１０）（例えば、赤色）が点灯することになる。つまり、光源２１の寿命として表示される。また、表示体１０をより目立たせるために、表示体１０を点滅させて点灯させても良い。
【００１１】
停電時においては、別途設けられている停電を感知する停電感知回路により、オンオフ回路３５をオンにする。これにより、電池３０から電力が出力され、光源３１が点灯し、停電時の誘導灯として機能する。なお、通常時においては、オンオフ回路３５は、オフとなっている。
ここで、上記の実施例においては、消耗電子部品として光源３１の寿命を、表示させたが、消耗電子部品として電池３０の寿命を表示させても良い。
【図面の簡単な説明】
【００１２】
【図１】本発明の一実施例を示す図であり、（ａ）は正面図、（ｂ）は側面図である。
【図２】本発明の表示体の位置関係を示す概略図である。
【図３】本発明の表示体の他の例の位置関係を示す概略図である。
【図４】本発明の回路図である。
【符号の説明】
【００１３】
１  誘導灯
２  枠体
２Ｌ  下面
１０  表示体
１１  点光源
【図１】
2005108568.tif 000003
【図２】
2005108568.tif 000004
【図３】
2005108568.tif 000005
【図４】
2005108568.tif 000006